(57)【特許請求の範囲】
【請求項１】
被加工材をその軸線の周りに回転させ、工具の刃先を前記軸線に直交する方向に対してアプローチ角をもって前記被加工材に押し当てて、前記被加工材を切削加工する切削装置の制御方法であって、
前記工具が前記被加工材を切削加工中、継続して、前記工具が受ける背分力を検出し、
検出される背分力の値とゼロ又はゼロに近い背分力目標値との差に基づいて、前記アプローチ角の変更量を算出し、
前記検出される背分力の値が常にゼロに近づくように、前記工具を前記軸線を含む平面内で回転させて、前記変更量だけ前記アプローチ角を調整することを特徴とする切削装置の制御方法。
【請求項２】
前記検出される背分力の値とゼロ又はゼロに近い背分力目標値との差、及び予め用意された前記アプローチ角と背分力との関係に基づいて、前記アプローチ角の変更量を算出することを特徴とする請求項１に記載の切削装置の制御方法。
【請求項３】
ＰＩＤ演算によって前記アプローチ角の変更量を算出することを特徴とする請求項１に記載の切削装置の制御方法。
【請求項４】
前記工具の刃先のノーズＲの中心を軸として、前記工具を前記平面内で回転させることによって前記アプローチ角を調整することを特徴とする請求項１から３のいずれか一項に記載の切削装置の制御方法。
【請求項５】
被加工材をその軸線の周りに回転させ、工具の刃先を前記軸線に直交する方向に対してアプローチ角をもって前記被加工材に押し当てて、前記被加工材を切削加工する切削装置であって、
前記工具を前記軸線を含む平面に沿って保持する回転テーブルと、
該回転テーブルを回転可能に支持する工具台と、
前記回転テーブルを前記工具台に対して前記平面に沿って回転させる回転手段と、
前記工具台を前記軸線に沿う第１の方向と、前記平面に沿い且つ前記軸線に直交する第２の方向とに移動させる工具台移動手段と、
前記工具が前記被加工材を切削加工中に受ける背分力を検出する背分力検出手段と、
前記切削加工中、継続して、前記背分力検出手段によって検出される背分力の値とゼロ又はゼロに近い背分力目標値との差に基づいて、前記アプローチ角の変更量を算出し、
前記検出される背分力の値が常にゼロに近づくように、前記回転手段による前記回転テーブルの回転量及び前記工具台移動手段による前記工具台の前記第１の方向と前記第２の方向の各移動量を制御して、前記変更量を達成するように、前記アプローチ角を調整する制御手段と、
を備えたことを特徴とする切削装置。
【請求項６】
前記制御手段は、前記検出される背分力の値とゼロ又はゼロに近い背分力目標値との差、及び予め用意された前記アプローチ角と背分力との関係に基づいて、前記アプローチ角の変更量を算出することを特徴とする請求項５に記載の切削装置。
【請求項７】
前記制御手段は、ＰＩＤ演算によって前記アプローチ角の変更量を算出することを特徴とする請求項５に記載の切削装置。
【請求項８】
前記制御手段は、前記工具の刃先のノーズＲの中心を軸として前記工具が回転して前記アプローチ角が変化するように、前記回転手段による前記回転テーブルの回転量及び前記工具台移動手段による前記工具台の前記第１の方向と前記第２の方向の各移動量を制御することを特徴とする請求項５から７のいずれか一項に記載の切削装置。
【発明の詳細な説明】
【技術分野】
【０００１】
この発明は、回転する被加工材に工具の刃先を押し当てて切削加工する切削装置及びその制御方法に関する。
【背景技術】
【０００２】
自動旋盤やマシニングセンタ等の工作機械を切削装置として使用して、被加工材をその軸線の周りに回転させながら、工具の刃先をその軸線に直交する方向から被加工材に押し当てて、被加工材を切削加工して製品を製造することが、部品製造業では広く行なわれている。
【０００３】
このような切削装置によって、例えば、回転する被加工材としての丸棒材のワークの表面に、工具の刃先を押し当てて、その表面を切削加工する場合、切削動力に対応する切削抵抗が発生する。この切削抵抗は、ワークの表面の接線方向の分力である主分力と、送り方向（ワークの軸線方向）の分力である送り分力と、径方向の分力である背分力とに分けられる。そのうち背分力は、被加工材の回転軸線に対する法線方向（径方向）の分力であり、工具をワークに押し付けている力に相当する。
【０００４】
ところで、細軸材や薄肉の被加工材を切削加工するような場合、被加工材の変形を防ぐために、この背分力を小さくする必要があることが知られている。
そのため、例えば特許文献１には、切削加工中に工具の切削力を検出し、その切削力に応じて、工具保持具を主軸の軸心の回りと、主軸の回転軸心と直角方向の軸の回りに回転させ、背分力が小さくなるように、工具のすくい角と横すくい角を調整することが開示されている。
【０００５】
また、特許文献２には、切削加工を開始する前に、予め背分力が小さくなるように、被加工材に対する工具のアプローチ角を設定することが開示されている。アプローチ角とは、工具の刃先を被加工材に押し当てる際の、被加工材の回転軸線に直交する方向に対する傾き角度である。
【先行技術文献】
【特許文献】
【０００６】
【特許文献１】特開平５−１８５３０６号公報（段落０００３〜００１１）
【特許文献２】特開２００９−１１３１４３号公報（段落００２１〜００２８）
【発明の概要】
【発明が解決しようとする課題】
【０００７】
しかしながら、切削加工中に工具のすくい角及び横すくい角を変更すると、被加工材の回転方向に対して、工具の刃先を適切な位置や角度で当てることができなくなるため、切削異常が起こり易くなるという問題がある。
また、切削加工前に、予め背分力が小さくなるように被加工材に対する工具のアプローチ角を設定しても、切削加工中に工具の磨耗や溶着など、何らかの変化が生じて背分力が増加した場合や、被加工材等に起因する加工条件の変更等による背分力の増加に、速やかに対応することができないという問題があった。
【０００８】
この発明は、このような問題を解消するためになされたものであり、切削加工中、被加工材の回転方向に対して工具の刃先を当てる位置や角度を適切な状態に保ちながら、工具の状況の変化や加工条件の変更等があっても、常に背分力を小さくできるようにすること
を目的とする。
【課題を解決するための手段】
【０００９】
この発明による切削装置の制御方法は、被加工材をその軸線の周りに回転させ、工具の刃先を上記軸線に直交する方向に対してアプローチ角をもって上記被加工材に押し当てて、上記被加工材を切削加工する切削装置の制御方法であって、上記の目的を達成するため、上記工具が上記被加工材を切削加工中、継続して、その工具が受ける背分力を検出し、検出される背分力の値とゼロ又はゼロに近い背分力目標値との差に基づいて、上記アプローチ角の変更量を算出し、上記検出される背分力の値が常にゼロに近づくように、上記工具を上記軸線を含む平面内で回転させて、上記変更量だけ上記アプローチ角を調整することを特徴とする。
【００１０】
上記検出される背分力の値とゼロ又はゼロに近い背分力目標値との差、及び予め用意された上記アプローチ角と背分力との関係に基づいて、上記アプローチ角の変更量を算出するとよい。
その場合、ＰＩＤ演算によって上記アプローチ角の変更量を算出することができる。
上記工具の刃先のノーズＲの中心を軸として、上記工具を上記平面内で回転させることによって上記アプローチ角を調整するのが望ましい。
【００１１】
この発明による切削装置は、被加工材をその軸線の周りに回転させ、工具の刃先を上記軸線に直交する方向に対してアプローチ角をもって上記被加工材に押し当てて、上記被加工材を切削加工する切削装置であって、上記の目的を達成するため、上記工具を上記軸線を含む平面に沿って保持する回転テーブルと、その回転テーブルを回転可能に支持する工具台と、上記回転テーブルを上記工具台に対して上記平面に沿って回転させる回転手段と、上記工具台を上記軸線に沿う第１の方向と、上記平面に沿い且つ上記軸線に直交する第２の方向とに移動させる工具台移動手段と、上記工具が上記被加工材を切削加工中に受ける背分力を検出する背分力検出手段と、上記切削加工中、継続して、上記背分力検出手段によって検出される背分力検出値とゼロ又はゼロに近い背分力目標値との差に基づいて、上記アプローチ角の変更量を算出し、上記検出される背分力の値が常にゼロに近づくように、上記回転手段による上記回転テーブルの回転量及び上記工具台移動手段による上記工具台の上記第１の方向と上記第２の方向の各移動量を制御して、上記変更量を達成するように、上記アプローチ角を調整する制御手段と、を備えたことを特徴とする。
【００１２】
上記制御手段は、上記検出される背分力の値とゼロ又はゼロに近い背分力目標値との差、及び予め用意された上記アプローチ角と背分力との関係に基づいて、上記アプローチ角の変更量を算出するとよい。
【００１３】
その場合、上記制御手段は、ＰＩＤ演算によって上記アプローチ角の変更量を算出することができる。
上記制御手段は、上記工具の刃先のノーズＲの中心を軸として上記工具が回転して上記アプローチ角が変化するように、上記回転手段による上記回転テーブルの回転量及び上記工具台移動手段による上記工具台の上記第１の方向と上記第２の方向の各移動量を制御するのが望ましい。
【発明の効果】
【００１４】
この発明による切削加工装置及びその制御方法によれば、切削加工中、被加工材の回転方向に対して工具の刃先を当てる位置や角度を適切な状態に保ちながら、工具の状況の変化や加工条件の変更等があっても、常に背分力を小さくすることができる。
それによって、被加工材の切削加工中のたわみや変形を抑えることができ、高精度な切削加工が可能になる。
【図面の簡単な説明】
【００１５】
【図１】この発明による切削装置の一実施形態の概略構成を示す図である。
【図２Ａ】アプローチ角が０°の場合のワークと工具の配置関係の例を示す図である。
【図２Ｂ】アプローチ角が負の角度である場合のワークと工具の配置関係の例を示す図である。
【図２Ｃ】アプローチ角が正の角度である場合のワークと工具の配置関係の例を示す図である。
【図３】図１における工具保持機構の斜視図である。
【図４】アプローチ角を変更する際の回転テーブルの回転とその回転中心のＸ，Ｚ方向への移動について説明するための図である。
【図５】図４における破線円で囲んだ部分の拡大図である。
【図６】アプローチ角と背分力との関係の一例を示す線図である。
【図７】図１に示した切削装置によって切削加工を行う場合の準備工程での作業と加工工程での制御処理の流れを示すフローチャートである。
【図８】背分力のフィードバック制御の具体例を示すブロック図である。
【発明を実施するための形態】
【００１６】
以下、この発明を実施するための形態を図面に基づいて具体的に説明する。
まず、この発明による切削装置の一実施形態の概略構成を図１によって説明する。この切削装置１は自動旋盤を想定しており、その装置本体である加工部１０には、図示を省略したベッドに設置された主軸台に、主軸１１が回転自在に支持されている。その主軸１１は、主軸モータを含む回転駆動機構によって回転駆動される。
【００１７】
主軸１１の先端部には、ワーク支持手段であるチャック１２が備えられている。そして、被加工材である細い円柱状のワーク２が、そのチャック１２によって、主軸１１の回転軸線とワークの軸線Ｌとが一点鎖線で示すように一致するように固定支持される。したがって、主軸１１の回転によって、チャック１２を介してワーク２がその軸線Ｌの回りに回転される。
【００１８】
一方、切削加工用の工具（刃物）１３は、チャック１２の近傍に設けられた工具ホルダの役目をなす回転テーブル１４に、ワーク２の軸線Ｌを含む平面に沿って、軸線Ｌに略直交する方向に、刃先１３ａをワーク２に向けて保持される。その回転テーブル１４は、工具台１５に回転可能に支持されている。
その工具台１５内には、回転テーブル１４を工具台１５に対してワーク２の軸線Ｌを含む上記平面に沿って回転させる回転手段と、工具１３がワーク２を切削加工中に受ける背分力を検出する背分力検出手段とを備えている。
【００１９】
回転手段は、例えばパルスモータを動力源とする回転駆動機構、背分力検出手段は動力計である。動力計は市販されているものであり、複数の圧電センサを内蔵し、この例では回転テーブル１４を介して、工具１３が表面加工中に受ける切削抵抗の３分力を測定するが、ここではそのうちの背分力の測定値を使用する。
その工具台１５は、ワーク２の軸線Ｌに沿う第１の方向であるＺ方向と、上記平面に沿い且つ軸線Ｌに直交する第２の方向であるＸ方向とに移動させる工具台移動手段であるＸ−Ｚステージ１６に搭載されている。これらの回転テーブル１４と工具台１５とＸ−Ｚステージ１６とによって、工具１３のアプローチ角を調整可能な工具保持機構１７を構成している。
【００２０】
この切削装置１は、被加工材であるワーク２をその軸線Ｌの周りに回転させ、工具１３の刃先１３ａを軸線Ｌに直交する方向に対してアプローチ角をもってワーク２に押し当てて、ワークを切削加工する。
この切削装置１はさらに、上述した工具保持機構を制御してアプローチ角を調整するための制御手段２０を備えている。
この制御手段２０は、工具１３によるワーク２の切削加工中、背分力検出手段である動
力計によって検出される背分力の値が常にゼロに近づくように、工具台１５内の回転手段及び工具台移動手段であるＸ−Ｚステージ１６を制御して、工具１３のワーク２に対するアプローチ角を調整する。そのために、この制御手段２０はアプローチ角変更量算出部２１と、座標変換部２２を有している。
【００２１】
アプローチ角変更量算出部２１は、動力計によって検出される背分力の値とゼロ又はゼロに近い背分力目標値との差に基づいて、アプローチ角の変更量を算出する。座標変換部２２は、アプローチ角変更量算出部２１によって算出されたアプローチ角の変更量である変更角度を、回転テーブル１４の回転角度と、Ｘ−Ｚステージ１６をＸ方向及びＺ方向へ移動させるためのＸ、Ｚ座標に変換する。そして、その回転角度とＸ、Ｚ座標によって、工具台１５内の回転手段及び工具台移動手段であるＸ−Ｚステージ１６を制御して、工具１３のアプローチ角を調整する。
アプローチ角変更量算出部２１には角度制限値が入力され、工具１３の回転範囲を規制する。座標変換部２２には、工具１３の刃先位置情報が入力される。
【００２２】
ここで、アプローチ角について図２Ａ〜図２Ｃを用いて説明する。これらの図において、図１と対応する部分には同一の符号を付している。
図２Ａに示すように、チャック１２によってワーク２を保持した主軸が、矢示Ａ方向に回転する。工具１３はワーク２の回転の軸線に略直交する方向から、その刃先１３ａをワークに押し当てて切削加工を行う。その際、工具１３にはワーク２の径方向（矢示Ｂ方向）に背分力が作用する。この背分力が作用する方向、すなわちワークの軸線に直交する方向に対して、軸線Ｌを含む平面内で工具１３がワーク２に当接する方向の傾きをアプローチ角と称する。
【００２３】
図２Ａに示すように、工具１３がワーク２に当接する方向が、背分力が作用するワークの軸線に直交する方向と一致している場合は、アプローチ角θは０°である。
工具１３を矢示Ｃで示すように回動させると、アプローチ角θが正又は負の値になる。
図２Ｂに示すように、工具１３を後端部がチャック１２から遠ざかるように回動させると、アプローチ角θが負の値になる。
逆に、図２Ｃに示すように、工具１３を後端部がチャック１２に近づくように回動させると、アプローチ角θが正の値になる。
【００２４】
図３は、このように工具１３のアプローチ角を調整するための図１に示した工具保持機構１７の斜視図である。この工具保持機構１７は、工具台１５内に設けた回転手段によって、工具１３を保持する回転テーブル１４を、ワーク２の軸線を含む平面に沿って回転させることによって、アプローチ角θを変更する。しかし、それだけでは工具１３の刃先１３ａの先端の位置がずれてしまい、切削加工中に工具１３を回転させることができない。そのため、回転テーブル１４の回転に伴って、Ｘ−Ｚステージ１６によって工具台１５をＸ方向及びＺ方向に移動させる必要がある。
【００２５】
図４は、アプローチ角を変更する際の回転テーブルの回転とその回転中心のＸ，Ｚ方向への移動について説明するための図である。図５は図４における破線円で囲んだ部分の拡大図である。
図４に示すように、ワーク２を切削加工中の工具１３のアプローチ角を、０°の状態から矢示Ｄで示すように正方向へθだけ変更するものとする。この場合、回転テーブル１４を矢示Ｅ方向に角度θ回転させるだけでは、工具１３が回転テーブル１４の回転中心（位置Ｐ１）を中心に図４で角度θだけ右旋回転し、刃先１３ａがワーク２の切削点から離れてしまう。
【００２６】
そのため、回転テーブル１４を矢示Ｅ方向へ回転させながら、その回転中心の位置Ｐ１
を例えば位置Ｐ２へ移動させる必要がある。
切削点がずれないようにするためには、工具１３を、図５に示す刃先１３ａのノーズＲの中心Ｑを軸（回転中心）として、ワーク２の軸線を含む平面内で回転させるのが望ましい。
位置Ｐ１の座標を（ｘ，ｚ）、位置Ｐ２の座標を(ｘ′，ｚ′）とすると、移動後の位置Ｐ２の座標は次式によって算出できる。
(ｘ′，ｚ′）＝（ｘ・cosθ＋ｚ・sinθ＋Ｒ（１−cosθ−sinθ),
ｘ・sinθ＋ｚ・cosθ＋Ｒ(１−cosθ−sinθ）
この式において、θは回転テーブル１４の回転角度、Ｒは工具１３のノーズＲの中心Ｑからの半径である。
この座標の差ｘ′−ｘだけＸ方向へ、ｚ′−ｚだけＺ方向へ、Ｘ−Ｚステージ１６を移動させる。実際にはこれだけではなく、ワーク２の切削による送り移動を加えて、Ｘ−Ｚステージ１６を移動させる必要がある。
【００２７】
それによって、工具１３の刃先１３ａのノーズＲの中心Ｑが移動することなく、工具１３のアプローチ角を正方向へθだけ変化させることができるため、刃先１３ａとワーク２の接触する位置がずれない。これにより、切削中にアプローチ角を変えても切削精度に影響を及ぼさず切削することができる。
工具のセッティング時に、アプローチ角θ＝０におけるＸ方向及びＺ方向の刃先１３ａの位置と、ノーズＲのＲ値（半径）を設定する。例えば、Ｘ方向は径の分かっている被加工材（ワーク２）で、Ｚ方向は被加工材の端面の位置で合わせる。
なお、Ｚ方向の移動は、主軸１１によりワーク２側を軸線方向に移動させてもよい。
【００２８】
図６は、アプローチ角と背分力との関係の一例を示す線図である。
これは、被加工材がＳ４５Ｃ（機械構造用炭素鋼）で、加工条件が、切削速度：１００ｍ／ｍｉｎ、切込量：１．０ｍｍ、送り速度０．０３ｍｍ／ｒｅｖの場合の例を示す。
この図６に示すように、アプローチ角と背分力とは略比例関係にある。この例ではアプローチ角が０°から−２０°の負の角度範囲で、背分力が８Ｎから−８Ｎまで変化し、アプローチ角が−９°程度のときに背分力が０（ゼロ）になっている。背分力がマイナスになると、工具がワークに引き寄せられるような力が作用することになる。
【００２９】
背分力はゼロにするのが望ましいが、加工条件によってアプローチ角の可変範囲が制限されるので、常にゼロにできるとは限らないが、切削加工中、背分力の値が常にゼロに近づくように、アプローチ角を自動的に調整する。
アプローチ角と背分力との関係は、被加工材の材料や工具の種類、および加工条件などによって異なるが、いずれにしてもこれに類似した相関関係が認められる。
【００３０】
したがって、アプローチ角と背分力との関係が予め分かっている切削加工の場合には、その相関データを図１に示した制御手段２０内のメモリに記憶させておけばよい。それによって、アプローチ角変更量算出部２１は、動力計によって検出される背分力をゼロに近づけるためのアプローチ角変更量を、そのメモリに記憶された相関データに基づいて容易に算出することができる。
【００３１】
次に、図７のフローチャートによって、図１に示した切削装置によって切削加工を行う場合の準備工程での作業と加工工程での制御処理の流れを説明する。
図１に示した制御手段２０は、マイクロコンピュータ（以下、ＣＰＵと略称する）を備えており、そのＣＰＵによって、アプローチ角変更量算出部２１及び座標変換部２２の機能を果す。
準備工程では、切削装置１の図示していない操作盤から作業者が加工に必要な情報を入力する。
【００３２】
ステップＳ１では、切削条件を入力する。すなわち、主軸回転数、切削速度、切込量、送り速度等を入力する。
ステップＳ２では、工具情報を入力する。すなわち、工具の前述したノーズＲ（半径Ｒ）と、旋回可能角度（アプローチ角の変更可能範囲）等を入力する。
ステップＳ３では、工具の刃先の先端位置を設定する。すなわち、回転テーブルの旋回角度０°（アプローチ角０°）での刃先位置として、ノーズＲの中心の座標を設定する。
このステップＳ１〜Ｓ３は任意の順番で行うことができ、並行して行ってもよい。
【００３３】
これらの準備工程の作業が完了し、図７には記載されていないが、作業者がワークのセット及び工具のセットを行った後、加工開始ボタンを押すと、加工工程を開始する。
この加工工程の処理は、図１における制御手段２０（主にＣＰＵ）が加工部１０を制御して実行する。
ステップＳ４で、ＣＰＵは主軸１１を回転させて切削を開始する。そして、ステップＳ５で背分力を測定する。それは、工具台１５内に設けた動力計によって測定させる。
【００３４】
次いで、ステップＳ６でアプローチ角変更量を算出する。それは、測定された背分力検出値と、ゼロ又はゼロに近い背分力目標値との差に基づいて、背分力がゼロに近づくように、アプローチ角変更量を算出する。
ステップＳ７では、算出したアプローチ角変更量（変更角度）を、Ｘ−Ｚステージ１６の移動座標と、回転テーブル１４の旋回角度に変換する。
【００３５】
そして、ステップＳ８で回転テーブル１４を旋回させ、Ｘ−Ｚステージ１６をＸ方向とＺ方向に移座標分だけ移動させる。
その後、ステップＳ９で所定量切削したか否かを判断し、所定量切削したら切削を終了するが、所定量切削するまでは、ステップＳ５へ戻って、ステップＳ５〜Ｓ９の処理を繰り返す。それによって、切削加工中常に、測定させる背分力がゼロに近づくように、工具のアプローチ角を調整し続ける。
したがって、切削方向や切削条件が変わったりしても、背分力を常にゼロ又はゼロに近い状態で切削加工を行うことができる。
【００３６】
図８は、背分力のフィードバック制御の具体例を示すブロック図である。
これは、図１における制御手段２０に相当する部分である。
制御部２５はＰＩＤ制御、すなわち比例制御と積分制御と微分制御を組み合せたフィードバック制御を行う。
【００３７】
入力された背分力目標値（ゼロ又はゼロに近い値）と、動力計による背分力の測定によって測定された背分力との差を制御部２５に入力し、制御部２５はその差をゼロに近づけるように、ＰＩＤ制御によってアプローチ角の変更量を算出する。そのアプローチ角の変更量によって、図１における回転テーブル１４を回転させると共に、Ｘ−Ｚステージ１６をＸ，Ｚ方向に移動させ、工具１３のアプローチ角を変更する。その結果、背分力が減少するが、工具の磨耗や溶着などの外乱が加わったとしても、背分力を常に動力計で測定してフィードバック制御を継続することで、背分力を、常に入力された背分力目標値（ゼロ又はゼロに近い値）に近い状態で切削加工を行うことができる。
【００３８】
図６に示したようなアプローチ角と背分力との関係が分かっている場合は、測定した背分力と背分力目標値との差から、容易にアプローチ角の変更量を算出できる。
しかし、様々な被加工材料や加工条件で切削加工を行う場合は、アプローチ角と背分力との関係が変わるため、ＰＩＤ制御のような制御方法で、アプローチ角の変更量を設定する。
Ｐ（比例）Ｉ（積分）Ｄ（微分）のそれぞれのパラメータを別途設定できるようにすることによって、最適な制御条件をマニュアルで設定することもできる。
【００３９】
なお、図１に示した加工部１０は、比較的短いワーク１３をチャック１２で把持するタイプの旋盤の例を示したが、主軸内にガイドブッシュを備え、長い棒状のワークをガイドブッシュに挿入して、主軸を貫通して装填し、そのワークを繰り出しながら加工するタイプの旋盤でもよい。また、主軸移動型の旋盤のようにワークの軸方向の移動は主軸側が移動して行うようにしてもよい。
また、背分力検出手段は工具台１５に限らず、回転テーブル１４に備えてもよい。
さらに、被加工材も円柱状や丸棒状の鋼材に限らず、一部加工した二次加工品等でもよいし、鋼材以外の真鍮やアルミニウム、その他の金属材料でもよい。
【００４０】
以上、この発明の実施形態について説明してきたが、その実施形態の各部の具体的な構成や処理の内容等は、そこに記載したものに限るものではない。
また、この発明は上述した実施形態に限定されるものではなく、特許請求の範囲の各請求項に記載された技術的特徴を有する以外は、何ら限定されるものではないことは言うまでもない。
さらに、以上説明してきた実施形態の構成例、動作例及び変形例等は、適宜変更又は追加したり一部を削除してもよく、相互に矛盾しない限り任意に組み合わせて実施することも可能であることは勿論である。
【産業上の利用可能性】
【００４１】
この発明による切削装置の制御方法及び切削装置は、被加工材を切削加工することが可能な各種の工作機械に幅広く利用することができる。
【符号の説明】
【００４２】
１：切削装置    ２：ワーク（被加工材）    １０：加工部    １１：主軸    
１２：チャック    １３：工具（刃物）    １３ａ：刃先    １４：回転テーブル    
１５：工具台    １６：Ｘ−Ｚステージ（工具台移動手段）    １７:工具保持機構
２０：制御手段    ２１：アプローチ角変更量算出部    ２２：座標変換部    
２５：制御部（ＰＩＤ）
【図１】
0006576758.tif 000002
【図２Ａ】
0006576758.tif 000003
【図２Ｂ】
0006576758.tif 000004
【図２Ｃ】
0006576758.tif 000005
【図３】
0006576758.tif 000006
【図４】
0006576758.tif 000007
【図５】
0006576758.tif 000008
【図６】
0006576758.tif 000009
【図７】
0006576758.tif 000010
【図８】
0006576758.tif 000011